(57)【要約】【課題】複数のプリントジョブを実行可能な印刷装置のプリント中断要因の解除を率先して行う動機付けを与える。また、プリント中断要因が生じた印刷装置で、早急にプリントジョブを実行したい場合にも対応できるようにする。【解決手段】プリント中断要因の発生によってプリントジョブが中断した場合において、プリントジョブ中断要因が解除され、プリントジョブが再開されるとき、所望の実行したいプリントジョブを特定することにより、特定されたプリントジョブを優先して実行させる。【選択図】図１
2011037084.tif 000002
【特許請求の範囲】
【請求項１】
複数のプリントジョブを実行可能な印刷装置であって、
通常状態では受付順にプリントジョブを実行し、
プリント中断要因の発生によってプリントジョブが中断した場合において、プリントジョブ中断要因が解除され、プリントジョブが再開されるとき、所望の実行したいプリントジョブを特定することにより、特定されたプリントジョブを優先して実行することを特徴とする印刷装置。
【請求項２】
受け付けた複数のプリントジョブを原則として受付順に実行する制御手段と、プリントジョブに基づいてプリントを行うプリント手段と、プリントジョブ中断要因の発生を検知する検知手段と、検知手段によってプリントジョブが中断された場合、プリントジョブ中断要因の解除後に実行したいプリントジョブを入力するための入力手段とを備え、
プリントジョブ中断要因が解除され、プリントジョブを再開する場合、前記入力手段から入力されたプリントジョブを優先して実行することを特徴とする印刷装置。
【請求項３】
前記入力手段が表示部を備え、この表示部に、プリントジョブ中断要因及び中断解除のための操作指示、受け付けられているプリントジョブの一覧表を表示する請求項２記載の印刷装置。
【請求項４】
認証データを入力する第２入力手段をさらに備え、プリントジョブ中断後に再開するプリントジョブが、認証データが認証されることによりプリントが許可されるセキュアプリントジョブである場合、第２入力手段から入力された認証データが認証されたときのみプリントジョブを実行する請求項２又は３記載の印刷装置。
【請求項５】
内蔵された処理トレイに記録媒体を一時的に貯めて、ステイプル処理、パンチ処理、折り畳み処理及び製本処理の少なくとも１つの処理を行う後処理装置をさらに備え、
中断要因の発生したプリントジョブが、前記処理の少なくとも１つの処理を行うものである場合であって、前記所望の実行したいプリントジョブも前記処理の少なくとも１つを行うものであるときは、中断要因の発生したプリントジョブを先に実行する請求項１〜４のいずれかに記載の印刷装置。
【発明の詳細な説明】
【技術分野】
【０００１】
本発明は印刷装置に関し、より詳細には、例えばネットワークを介して複数のコンピュータで共有されるプリンタなどの印刷装置に関するものである。
【背景技術】
【０００２】
印刷装置において、ペーパエンプティなどによってプリントジョブが中断し、その中断要因が解消されてプリントジョブが再開される場合、実行されるプリントジョブは、通常は、中断要因の発生したプリントジョブであった。
【０００３】
一方、事務機器の効率的利用などの観点から、オフィスなどでは、ネットワークを介して複数のコンピュータで１台の印刷装置を共有させていることが多い。このような場合、印刷装置にプリントジョブ中断要因（ペーパーエンプティなど）が発生すると、その中断要因を解除した者が、必ずしも中断要因の発生したプリントジョブの実行命令者であるとは限らない。
【０００４】
例えば、ネットワークを介してプリントジョブを印刷装置に実行命令した者が、印刷が完了していると思い印刷物を取りに印刷装置の設置場所に行ったとき、先に実行命令された他人のプリントジョブの実行途中で印刷装置が止まっている場合がある。この場合、中断要因の解除操作を行なって、他人のプリントジョブを終了させないと、自分のプリントジョブが実行されない。また、例えばプリント中断要因がペーパーエンプティであった場合、自分が印刷しようとするペーパーは給紙トレイに充填されているにも拘わらず、他人のプリントジョブのためにペーパーを補給しなければならない。そして、プリント中断要因を解除した後は、必然的に、他人のプリントジョブが正常に行われるか監視することになる。
【０００５】
これまでの、プリントジョブの中断後の再開に関する技術としては、情報セキュリティの観点から、認証データが認証されることによりプリントが許可される、いわゆるセキュアプリントが、中断後に再開されるとき、そのセキュアプリントを指示した者を認証してからその中断したジョブ再開するという技術が提案されているだけである（例えば特許文献１）。
【先行技術文献】
【特許文献】
【０００６】
【特許文献１】特開2005-161841号公報
【発明の概要】
【発明が解決しようとする課題】
【０００７】
プリント中断要因解除者が感じる前記のような不合理は、これまで誰もが一度は経験しているところであり、このような不合理を解消したいという潜在的な市場要求は少なからずある。
【０００８】
本発明はこのような従来の問題に鑑みてなされたものであり、その目的は、印刷装置のプリント中断要因の解除を率先して行う動機付けを与えることにある。また、プリント中断要因が生じた印刷装置で、早急にプリントジョブを実行したい場合にも対応できるようにすることにある。
【課題を解決するための手段】
【０００９】
前記目的を達成する本発明に係る印刷装置は、複数のプリントジョブを実行可能な印刷装置であって、通常状態では受付順にプリントジョブを実行し、プリント中断要因の発生によってプリントジョブが中断した場合において、プリントジョブ中断要因が解除され、プリントジョブが再開されるとき、所望の実行したいプリントジョブを特定することにより、特定されたプリントジョブを優先して実行することを特徴とする。
【００１０】
また、本発明に係る印刷装置は、受け付けた複数のプリントジョブを原則として受付順に実行する制御手段と、プリントジョブに基づいてプリントを行うプリント手段と、プリントジョブ中断要因の発生を検知する検知手段と、該検知手段によってプリントジョブが中断された場合、プリントジョブ中断要因の解除後に実行したいプリントジョブを入力するための入力手段とを備え、プリントジョブ中断要因が解除され、プリントジョブを再開する場合、前記入力手段から入力されたプリントジョブを優先して実行することを特徴とする。
【００１１】
前記入力手段は表示部を備え、この表示部に、プリントジョブ中断要因及び中断解除のための操作指示、受け付けられているプリントジョブの一覧表を表示するようにするのが好ましい。
【００１２】
また、認証データを入力する第２入力手段をさらに設け、プリントジョブ中断後に再開するプリントジョブが、認証データが認証されることによりプリントが許可されるセキュアプリントジョブである場合、第２入力手段から入力された認証データが認証されたときのみプリントジョブを実行するようにするのが好ましい。
【００１３】
そしてまた、内蔵された処理トレイにペーパー（記録媒体）を一時的に貯めて、ステイプル処理、パンチ処理、折り畳み処理及び製本処理の少なくとも１つの処理を行う後処理装置をさらに設け、中断要因の発生したプリントジョブが、前記処理の少なくとも１つの処理を行うものである場合であって、前記所望の実行したいプリントジョブも前記処理の少なくとも１つを行うものであるときは、中断要因の発生したプリントジョブを先に実行するのが好ましい。
【発明の効果】
【００１４】
本発明の印刷装置では、プリントジョブ中断要因が解除され、プリントジョブが再開されるとき、所望の実行したいプリントジョブを特定することにより、特定されたプリントジョブが優先して実行されるので、印刷装置のプリント中断要因の解除を率先して行う動機付けが与えられる。また、プリント中断要因が生じた印刷装置で、早急にプリントジョブを実行したい者の要望にも応えられる。
【００１５】
また、入力手段に設けた表示部に、プリントジョブ中断要因及び中断要因解除のための操作指示、受け付けられているプリントジョブの一覧表を表示すると、中断要因の解除操作が円滑に行われると共に、中断要因の解除後に優先して実行させるプリントジョブの選択・入力が容易となる。
【００１６】
認証データを入力する第２入力手段をさらに設け、プリントジョブ中断後に再開するプリントジョブが、認証データが認証されることによりプリントが許可されるセキュアプリントジョブである場合、第２入力手段から入力された認証データが認証されたときのみプリントジョブを実行するようにすると、印刷物のセキュリティが確実に担保されるようになる。
【図面の簡単な説明】
【００１７】
【図１】本発明に係る印刷装置が接続されたネットワークのブロック図である。
【図２】本発明に係る印刷装置の一例を示す概略構成図である。
【図３】本発明に係る印刷装置の構成を示すブロック図である。
【図４】操作パネルの一例を示す外観図である。
【図５】本発明に係る印刷装置の制御例を示すフローチャートである。
【図６】本発明に係る印刷装置の制御例を示すフローチャートである。
【図７】本発明に係る印刷装置の制御例を示すフローチャートである。
【図８】表示パネルに表示させる画面の一例を示す図である。
【図９】表示パネルに表示させる画面の一例を示す図である。
【図１０】表示パネルに表示させる画面の一例を示す図である。
【図１１】表示パネルに表示させる画面の一例を示す図である。
【図１２】表示パネルに表示させる画面の一例を示す図である。
【図１３】表示パネルに表示させる画面の一例を示す図である。
【図１４】表示パネルに表示させる画面の一例を示す図である。
【図１５】表示パネルに表示させる画面の一例を示す図である。
【図１６】表示パネルに表示させる画面の一例を示す図である。
【発明を実施するための形態】
【００１８】
図１に、本発明の印刷装置が接続されたネットワークシステムの一例を示す。複数台のパーソナルコンピュータ（ＰＣ）がＬＡＮやインターネットなどのネットワークＮを介して１台の印刷装置１００に接続している。プリントジョブがＰＣからネットワークＮを介して印刷装置１００に送信される。印刷装置１００はプリントジョブを原則として受信した順に印刷処理する。
【００１９】
図２に、図１のネットワークシステムで用いる印刷装置１００の概略構成図を示す。この図の印刷装置１００は、大きく本体部１０と後処理部（後処理装置）２０とから構成されている。本体部１０は、例えば複写機、プリンタ、ファクシミリ及びこれらの諸機能を有する複合機である。また、本体部１０において、電子写真方式により画像が形成されたペーパーは後処理部２０に搬送される。後処理部２０は、本体部１０から排出されたペーパーＤに、パンチ処理、ステイプル処理、折り畳み処理等の各種後処理を施すフィニッシャーである。以下、各部の構成について詳細に説明する。
【００２０】
本体部１０は、読取部１、画像形成部２、給紙部３、搬送部４を備える。読取部１は、原稿トレイ１ａを有する原稿搬送装置等を有する。原稿トレイ１ａに載置された原稿Ｅが原稿搬送装置により１枚ずつコンタクトガラス１ｂへ搬送される。読取部１は、透明なコンタクトガラス１ｂの下部にＣＣＤ１ｃや光源１ｄを備え、ＣＣＤ１ｃ等を駆動制御して、コンタクトガラス１ｂに載置された原稿Ｅの画像データを読取る。具体的には原稿Ｅを光源１ｄからの照明により走査し、その反射光をＣＣＤ１ｃにより結像して光電変換することにより画像データを生成する。
【００２１】
画像形成部２は、回転可能に設けられた感光ドラム２ａの周囲に露光部２ｂ、現像部２ｃ、定着部２ｄ等を備える。露光部２ｂは光源を備え、電子写真方式によりペーパーＤに画像を形成する。画像形成されたペーパーＤは後処理部２０に供給される。
【００２２】
給紙部３は、複数の給紙トレイ３ａ，３ｂを備える。これらの給紙トレイ３ａ，３ｂにはそれぞれ、サイズや種類の異なるペーパーＤが収容される。給紙トレイ３ａ，３ｂは、手前方向（紙面に対して垂直方向）に引き出し可能に設けられており、利用者は給紙トレイ３ａ，３ｂを引き出してペーパーＤの補給を行う。ペーパーＤはそれぞれ搬送経路４ａ又は搬送経路４ｂを介して画像形成部２に供給される。ペーパーサイズには、ＪＩＳ規格によるＡ３、Ａ４、Ｂ５、Ｂ４等複数のサイズがある。
【００２３】
搬送部４は搬送経路４ａ、４ｂ、４ｃ、４ｄおよび搬送ローラ（図示省略）等から構成される。ペーパーＤは、給紙部３から搬送経路４ａ、４ｂに沿って画像形成部２内の各部に搬送され、画像形成部２から搬送経路４ｃ、４ｄに沿って画像形成されたペーパーＤが後処理部２０に供給される。
【００２４】
次に、後処理部２０について説明する。後処理部２０は、主としてパンチ処理部２１、ステイプル処理部２２、折り畳み処理部２３から構成される。また、各処理部によって処理されたペーパーＤを搬送及び排紙するための排紙トレイ２４ａ、２４ｂ、搬送経路２５ａ〜２５ｅを備える。
【００２５】
パンチ処理部２１は、パンチ処理要求に基づき本体部１０から排出されたペーパーＤにパンチ処理を施すもので、ペーパーＤの搬送方向上流側にパンチ処理を施す。パンチ処理が施されたペーパーＤは、搬送経路２５ａを介して排紙トレイ２４ａへ排紙される。また、その他の後処理が施される場合には、搬送経路２５ｂにより搬送される。
【００２６】
ステイプル処理部２２は、スタック台２２ａ及びステープラ２２ｂを備える。搬送経路２５ｂに沿ってスタック台２２ａに搬送されたペーパーＤを束にして、ステープラ２２ｂにより綴じ針で綴じるステイプル処理を施す。ステイプル処理が施されたペーパーＤは、搬送経路２５ｃを介して排紙トレイ２４ａに排出される。また、その他の後処理が施される場合には、搬送経路２５ｄにより搬送される。
【００２７】
折り畳み処理部２３は、搬送経路２５ｂ、２５ｄに沿って搬送されたペーパーＤを、後処理の指示情報に基づき、ペーパーＤに対して２つ折り処理、Ｚ折り処理、３つ折り処理等の折り畳み処理を施す。折り畳み処理が施されたペーパーＤは、搬送経路２５ｅに沿って排紙トレイ２４ｂに排出される。
【００２８】
なお、後処理部において、以上説明した処理の他に、複数のペーパーＤを束ねて、ペーパーの一辺側を糊付けして製本化する製本処理を行えるようにしてもよい。
【００２９】
図３に、印刷装置１００の機能ブロック図を示す。制御手段としてのＣＰＵ（Central Processing Unit）３１は、ＲＯＭ（Read Only Memory）３２、もしくはハードディスク３３に格納されている制御プログラム（後述する各種フローチャートに示す処理を実行する為のコンピュータプログラムを含む）に従って、印刷装置の各部の制御（各ユニットの動作制御や操作部の表示部等の表示制御等を含む）を行うと共に、後述する印刷処理を実行させる。
【００３０】
ＲＯＭ３２には、本装置の駆動条件や各種設定データ、設定プログラム、起動プログラムなどが格納されており、これらはＣＰＵ３１による実行対象となる。
【００３１】
記憶ユニットとしての一例のハードディスク３３には、以下説明するプリント処理をＣＰＵ３１に実行させるためのプログラムやデータを保存しており、これらは必要に応じてＣＰＵ３１によってＲＡＭ３３に読み出されるものである。また、ハードディスク３３には、外部から送信されたプリントジョブのデータ（プリント機能のプリントジョブデータ）を一時的に保存するための領域が予め設けられている。
【００３２】
なお、印刷装置が、コピー機能等をも具備するタイプの印刷装置の場合、ハードディスク３３に、ホストコンピュータ等の外部装置から出力されたプリントジョブデータを格納可能にＣＰＵ３１により制御すると共に、スキャナユニットにより読取ったプリントジョブデータ（コピー機能のジョブデータ）もハードディスク３３に格納可能に制御する。そして、これらのプリントジョブに対して後述の制御をＣＰＵ３１により適用可能に制御する。
【００３３】
ＲＡＭ３４は、ＣＰＵ３１がＲＯＭ３２やハードディスク３３から読み出したプログラムやデータを一時的に記憶するためのエリアを備えると共に、ＣＰＵ３１が各種の処理を行うために使用するワークエリアを備える。
【００３４】
図４に示すように、操作パネル（入力手段）３５は、印刷装置の駆動条件や、本装置の状態、各種のＧＵＩ、後述の操作パネル３５から入力された結果などを表示する表示パネル３５１や、ユーザによる設定や命令等の入力操作を行うためのテンキーやスタートキー等のボタン３５２を備える。なお、表示パネル３５１は、表示画面を押圧することによって入力することも可能なタッチパネルであってもよい。
【００３５】
通信制御部３６は、本印刷装置を図１に示したネットワークＮに接続するためのもので（ネットワークＮが無線によるものである場合には、この無線通信を行うためのインターフェースとして機能する）、図１に示したＰＣからのプリントジョブを受け取るなど、ＰＣとのデータ通信を行うためのインターフェースとして機能するものである。またその他の装置とのデータ通信においても用いられる。
【００３６】
読取部１は、ペーパーなどの記録媒体に記録されている文字や画像などを周知のスキャン技術によって画像データとして読み取る（スキャン）。読み取られた画像データは一時的にハードディスク３３に保存される。
【００３７】
画像形成部２は、ＰＣから送信されたプリントジョブに従った印刷を行う、もしくは読取部１が読み取った画像データに従った画像の印刷を行うもので、ペーパーやＯＨＰなどの記録媒体上に印刷を行う。
【００３８】
画像記憶部３７は、読取部１が読み取った画像データ、通信制御部３６によりＰＣから受信したプリントジョブのデータを一時的に蓄積するメモリとして機能するものである。なお、ハードディスク３３内に設けるようにしてもよい。
【００３９】
画像処理部３８は、印刷装置から送信される画像データを圧縮符号化したり、逆に圧縮画像データを伸張復号したり、外部から受信した印字データを画像データに変換したり（ホストからのＰＤＬコードデータからビットマップデータに展開処理する）、保存する画像データを適切なフォーマット、またはユーザから指定されたフォーマット（例えばＰＤＦフォーマット）にフォーマット変換したり、読取部１の光学応答特性やセンダのばらつき等に応じた画像補正処理を行ったり、ユーザが操作パネル３５から入力操作する画像の変倍処理等の画像加工処理を行ったり、画像形成部３８の書き込み特性等に適した画像データにする画像最適化処理などを要求に応じて行う。また、画像処理部３８は、ＰＣから送信されたプリントジョブが暗号化されている場合には、暗号化されたプリントジョブに添付されたパスワードでもって周知の技術により復号する処理も行う。
【００４０】
認証処理部３９は、後述する各種の認証処理を行うものである。
【００４１】
バス３１１は、上述の各部を繋ぐものである。
【００４２】
従って図３に示した印刷装置は、読み取り画像データを伝送するファクシミリ通信や、文書管理サーバコンピュータにデータ転送する転送機能と、読み取り画像データを記録出力する複写機能と、受信画像データをファクシミリ受信する受信印刷機能と、ＰＣからのプリントジョブに従った印刷を行う印刷機能を備えており、複写機としてだけではなく、ファクシミリ装置、プリンタ装置、スキャナ装置としても利用することが可能になっている。
【００４３】
なお、認証データを入力する第２入力手段として、部門番号やパスワードが登録された磁気カードを挿入するためのカードリーダ装置や、指紋読み取り装置などを図３に示す印刷装置に装着してもよく、その場合、予めＲＯＭ３２やハードディスク３３に設定しておいた部門番号とパスワードを読み出して、認証処理部３９において認証を行った後に、各種機能が実現できるようになる。もちろん、第２入力手段を使わず、操作パネル３５から部門番号とパスワードを入力させて認証処理部３９において認証を行ってもよい。
【００４４】
また、画像形成部２による印刷方式は特に限定するものではないが、電子写真記録方式以外にも、例えばインクジェット方式、サーマルヘッド方式、ドットインパクト方式などを適用することができる。
【００４５】
以下、印刷装置としてプリント機能を有するプリンタ装置を例に説明を続けるが、複写機能やファクシミリ機能などの機能を複合的に備えた装置についても本発明は適用される。
【００４６】
図５に、本発明に係る印刷装置の制御例を示すフローチャートを示す。なお、ここでは、プリントジョブの印刷処理を中断させる要因（以下、プリント中断要因）として、印刷処理中に給紙トレイのペーパーが無くなった（「ペーパーエンプティ」）場合を例に説明する。まず、ＣＰＵ３１は、ハードディスク３３内の印刷待ち行列にセットしたプリントジョブを、受信した順に、処理していくようジョブスケジューリングを行う。印刷順番がきたプリントジョブは、ハードディスク３３から読み出されて、画像形成部２によって、プリントジョブに含まれる印刷条件に従った印刷処理が実行される（ステップＳ５０１）。
【００４７】
そして、ＣＰＵ３１は、プリントジョブを画像形成部２に印刷処理させている間に、プリント中断要因が発生したかどうかを、各種の検知センサ（ペーパー紙搬送ユニット内のペーパーの搬送状況を検知するセンサや、給紙カセットのペーパーの有無及び/又は残量等を検知するセンサやトナーの有無及び／又は残量を検知するセンサ等の消耗材センサ等の印刷処理工程にて印刷処理の中断要因を検知可能な各種のセンサを含む）から発生される通報情報等を基に、監視チェックする（ステップＳ５０２）。本実施形態は、印刷装置を構成する各部（図３に示した各部、またこの各部を更に構成する各部）に、エラー／及び警告発生検知ユニットを設け、印刷処理にてその動作に異常が発生した場合には、各部に応じたエラー信号を内部の信号線を介してＣＰＵ３１に通知するように構成している。これにより、ＣＰＵ３１によって常に各部の動作に異常が発生しているかどうかがチェックされる。
【００４８】
なお、このプリント中断要因には様々な要因が考えられるが、本実施形態では、例えば、ペーパーなどの記録媒体、ステイプル針、トナーを含む複数種類の消耗品のうちの、印刷対象のジョブの為に用いるべき消耗材の少なくとも何れか（１種類、或いは、２種類以上）が無くなった場合、及び、ペーパーの紙詰まりやステイプルユニットでのステイプラの針詰まりやハードディスク３３等の記憶ユニットのメモリフルやコピー機能を有するならばスキャナユニットによる原稿ジャム等の印刷装置のステータスとしてエラー状態が発生した場合、及び、操作者により操作部３７を介して印刷処理中の当該プリントジョブの印刷処理の中断指示が入力された場合の少なくとも何れかのケースを含む、複数のケースのうちの少なくとも何れかのケースである。もちろん、これ以外に考えられるプリントジョブの印刷処理の中断要因にも本発明は適用可能である。
【００４９】
前記のようなプリント中断要因が発生していない場合は、実行中のプリントジョブの印刷処理が続行される。そして印刷が完了した場合には（ステップＳ５０３）、印刷が完了したプリントジョブのデータを印刷待ち行列から削除し、プリントすべき次のプリントジョブがあるかどうかが判断される（ステップＳ５０４）。次のプリントジョブがまだあるときは、再びステップＳ５０１に戻って印刷処理を行い、次のプリントジョブがない場合は制御を終了する。
【００５０】
一方、プリント中断要因が発生した場合には（ステップＳ５０２）、現在印刷処理実行中のプリントジョブの印刷処理が中断されると共に、表示パネル３５１（図４に図示）に画面表示（ア）、すなわち図８に示す画面が表示される（ステップＳ５０５）。表示パネル３５１の上半分には、ペーパーエンプティが発生した旨の表示、及びプリント中断解除のための操作表示の表示、この場合はペーパー補給が必要な旨の表示がなされ、下半分には、ペーパー補給後、現在のプリントジョブを継続するか、新たな優先プリントジョブを選択するかの表示がなされる。オペレータは、ボタン３５２（図４に図示）の「１」か「２」を押すことにより、どちらかを選択できる。
【００５１】
優先プリントジョブが選択された場合（ステップＳ５０６）、表示パネル３５１（図４に図示）に画面表示（イ）、すなわち図９に示す画面が表示される（ステップＳ５０７）。表示パネル３５１の上半分には、ハードディスク３３内の印刷待ち行列にセットされているプリントジョブの一覧表が表示され、下半分には、優先して実行するジョブ番号の選択・入力を促す表示される。プリントジョブの一覧表は、表示パネル３５１の右側のアップ、ダウンの表示「△」、「▽」をタッチすることによってスクロールできる。
【００５２】
画面表示（イ）のプリントジョブの一覧表において、ジョブ番号「２４５」は、非セキュアプリントで、登録者（例えばクライアントパソコン名）は「２６７９」、プリントされるファイルの名称は「メール」である。同様に、ジョブ番号「２４６」は、セキュアプリントで、登録者は「３８９７」、プリントされるファイルの名称は「技術情報」である。ジョブ番号「２４７」は、非セキュアプリントで、登録者は「１２０５」、プリントされるファイルの名称は「スケジュール」である。オペレータは、優先したいジョブプリントのジョブ番号をボタン３５２（図４に図示）を使って入力する。
【００５３】
次に、選択されたプリントジョブがセキュアプリントである場合（ステップＳ５０８）、即ち、ジョブ番号「２４６」が選択された場合、表示パネル３５１（図４に図示）に画面表示（ウ）、すなわち図１０に示す画面が表示され、パスワードの入力が促される（ステップＳ５０９）。オペレータは、操作パネル３５のボタン３５２を使ってパスワードを入力する。なお、認証データとしては、パスワードの他、ＩＣカードや指紋データ、静脈データなどを用いても構わない。この場合、認証データを入力する手段（第２入力手段）として、カードリーダ装置や指紋読み取り装置、静脈読み取り装置などをさらに設ける必要がある。
【００５４】
パスワードが入力されると、入力されたパスワードが、予めＲＯＭ３２（図３に図示）やハードディスク３３（図３に図示）に設定されたパスワードと一致するかどうか、認証処理部３９（図３に図示）で認証が行われる（ステップＳ５１０）。入力されたパスワードが、設定されたパスワードと一致しなければ（ステップＳ５１１）、後段で図７に基づいて説明するように、ステップＳ７０１に進んで、現在のプリントジョブが継続される。
【００５５】
一方、入力されたパスワードが、設定されたパスワードと一致すると（ステップＳ５１１）、次に、図６のステップＳ６０１に進み、選択されたプリントジョブがスタック台２２ａ（図２に図示）を使用するものかどうかが判定される。ステップＳ５０８において、選択されたプリントジョブがセキュアプリントでない場合は、直ちにこのステップＳ６０１に進む。
【００５６】
選択されたプリントジョブがスタック台２２ａ（図２に図示）を使用しない場合は（ステップＳ６０１）、次に、給紙トレイに必要なペーパーが有るかどうかが判断される（ステップＳ６０２）。給紙トレイに必要なペーパーが有るときは、表示パネル３５１（図４に図示）に画面表示（エ）、すなわち図１１に示すように、選択されたプリントジョブが実行される旨の表示がなされ（ステップＳ６０５）、ステップＳ５０１に戻って印刷が開始される。一方、給紙トレイに必要なペーパーが無いときは、表示パネル３５１（図４に図示）に画面表示（オ）、すなわち図１２に示すように、給紙トレイへのペーパー補給が促され（ステップＳ６０３）、ペーパーの補給がなされると（ステップＳ６０４）、前記と同様に、選択されたプリントジョブが実行される旨の表示がなされ（ステップＳ６０５）、ステップＳ５０１に戻って印刷が開始される。
【００５７】
なお、本実施形態のように、給紙トレイのペーパーが無くなったことによりプリントジョブが中断したような場合には、ペーパーがオペレータにより給紙トレイに補給され、ペーパー量を検知するセンサからペーパー補給された旨の信号を受け取ることにより、ＣＰＵ３１は、プリント中断要因が解除されたとものと判断して印刷を開始する。
【００５８】
一方、選択されたプリントジョブがスタック台２２ａ（図２に図示）を使用する場合は（ステップＳ６０１）、表示パネル３５１（図４に図示）に画面表示（カ）、すなわち図１３に示すように、選択されたプリントジョブは現在のプリントジョブが終了しないと実行されない旨の表示がなさる（ステップＳ６０６）。そして、プリント中断要因が解除されると（ステップＳ６０７）、ステップＳ７０１に進んで、現在のプリントジョブが継続される。なお、現在のプリントジョブの継続実行については図７に基づいて後述する。これは、一般的に、後処理部２０（図２に図示）は、ステープル処理や製本処理などの特殊な後処理を行うのに必要なスタック台２２ａ（図２に図示）を１つしか備えていないので、最初のプリントジョブ、即ち中断されたプリントジョブが、例えばステープル処理を行うプリントジョブである場合に、プリント中断要因解除後に、ステープル処理を行う別のプリントジョブを実行すると、後処理装置のスタック台２２ａ（図２に図示）に、中断されたプリントジョブのペーパーに、プリント中断要因解除後に優先して実行されたプリントジョブのペーパーが混じってしまい不都合を生じるからである。
【００５９】
図５のステップＳ５０６において、現在のプリントジョブの継続が選択された場合には、次に、現在のプリントジョブがセキュアプリントかどうかが判断される（ステップＳ７０１）。現在のプリントジョブがセキュアプリントであるときは、表示パネル３５１（図４に図示）に画面表示（キ）、すなわち図１４に示すように、再スタートのためにはパスワード入力が必要でなる旨の表示がなされる（ステップＳ７０２）。
【００６０】
そして、オペレータによってプリント中断要因が解除されると、本実施形態の場合は給紙トレイにペーパーが補充されると（ステップＳ７０３）、ＣＰＵ３１はそれを検出し、表示パネル３５１（図４に図示）に画面表示（ク）、すなわち図１５に示すように、パスワードの入力を促す表示がなされる（ステップＳ７０４）。オペレータは操作パネル３５のボタン３５２（図４に図示）を使用してパスワードを入力する。パスワードが入力されると（ステップＳ７０５）、入力されたパスワードが、予めＲＯＭ３２（図３に図示）やハードディスク３３（図３に図示）に設定されたパスワードと一致するかどうか、認証処理部３９（図３に図示）で認証が行われる（ステップＳ７０６）。入力されたパスワードが、設定されたパスワードと一致しないときは、そのまま制御は終了する。
【００６１】
一方、入力されたパスワードが、設定されたパスワードと一致すると（ステップＳ７０６）、次に、図５のステップＳ５０１に戻って、現在のプリントジョブの印刷が再開される。
【００６２】
ステップＳ７０１において、現在のプリントジョブがセキュアプリントでないときは、表示パネル３５１（図４に図示）に画面表示（ケ）、すなわち図１６に示すように、ペーパーの補給がなされると、現在のプリントジョブを再スタートする旨の表示がなされる（ステップＳ７０８）。そして、ステップＳ５０１に戻って印刷が開始される。
【００６３】
以上、プリントジョブの中断要件がペーパーエンプティの場合を例に説明したが、トナーエンプティの場合にも同じ制御フローが適用できる。すなわち、実行中のプリントジョブがイエロー色のトナーエンプティで中断しているとき、優先して実行するプリントジョブがモノクロプリントであれば、イエロー色のトナーを補充しなくても、優先プリントジョブは実行可能である。同じように、プリントジョブの中断要件がステープル針のエンプティの場合も、優先して実行するプリントジョブがノンソートトレイへの排紙であるときは、ステープル針の補充をしなくても優先プリントジョブの実行可能である。
【産業上の利用可能性】
【００６４】
本発明の印刷装置は、プリント中断要因の発生によってプリントジョブが中断した場合、プリントジョブ中断要因が解除され、プリントジョブが再開されるとき、プリント中断要因を解除した者の実行したいプリントジョブを優先して実行できるので、プリント中断要因の解除を率先して行う動機付けを与えることができ有用である。また、プリント中断要因が生じた印刷装置で、早急にプリントジョブを実行したい場合にも対応できるようになる。
【符号の説明】
【００６５】
２    画像形成部（プリント部）
１０    本体部
２０    後処理部（後処理装置）
３１    ＣＰＵ（制御手段）
３５    操作パネル（入力手段）
１００    印刷装置
３５１    表示パネル（表示部）
【図１】
2011037084.tif 000003
【図２】
2011037084.tif 000004
【図３】
2011037084.tif 000005
【図４】
2011037084.tif 000006
【図５】
2011037084.tif 000007
【図６】
2011037084.tif 000008
【図７】
2011037084.tif 000009
【図８】
2011037084.tif 000010
【図９】
2011037084.tif 000011
【図１０】
2011037084.tif 000012
【図１１】
2011037084.tif 000013
【図１２】
2011037084.tif 000014
【図１３】
2011037084.tif 000015
【図１４】
2011037084.tif 000016
【図１５】
2011037084.tif 000017
【図１６】
2011037084.tif 000018